(57)【要約】フィルムコンデンサ（１）は、コンデンサ素子（１００）と、第１バスバー（２００）および第２バスバー（３００）と、ケース（４００）と、ケース（４００）に設けられた第１突起部（４２３）および第２突起部（４２４）と、第１バスバー（２００）および第２バスバー（３００）に設けられ、第１突起部（４２３）および第２突起部（４２４）が嵌合する第１嵌合穴部（２２１）および第２嵌合穴部（３２１）と、を備える。第１嵌合穴部（２２１）および第２嵌合穴部（３２１）は、第１バスバー（２００）および第２バスバー（３００）の上面（２２０ａ、３２０ａ）と下面（２２０ｂ、３２０ｂ）との間を貫通する貫通穴（２２２、３２２）と、上面（２２０ａ、３２０ａ）に貫通穴（２２２、３２２）の周縁から立ち上がるように形成され、貫通穴（２２２、３２２）を取り囲む筒状のフランジ部（２２３、３２３）と、を含む。
2018016348.tif 000002
【特許請求の範囲】
【請求項１】
コンデンサ素子と、
前記コンデンサ素子の電極に接続され、前記コンデンサ素子からの電流が流れるバスバーと、
前記コンデンサ素子および前記バスバーが収容されるケースと、
前記ケースに設けられた突起部と、
前記バスバーに設けられ、前記突起部が嵌合する嵌合穴部と、を備え、
前記嵌合穴部は、
前記バスバーにおける前記ケースに対向する第１の面と当該第１の面と反対側の第２の面の間を貫通する貫通穴と、
前記第２の面に前記貫通穴の周縁から立ち上がるように形成され、前記貫通穴を取り囲む筒状のフランジ部と、
を含む、
ことを特徴とするコンデンサ。
【請求項２】
請求項１に記載のコンデンサにおいて、
前記貫通穴は、前記第１の面に近づくに従って穴径が大きくなる形状を有し、
前記突起部の根元部は、前記ケースに近づくに従って太くなる形状を有する、
ことを特徴とするコンデンサ。
【請求項３】
請求項２に記載のフィルムコンデンサにおいて、
前記貫通穴と前記第１の面との間にＲ面が形成されることにより、前記貫通穴が、前記第１の面に近づくに従って穴径が大きくなる形状とされ、
前記突起部と前記ケースにおける前記突起部が形成される形成面との間にＲ面が形成されることにより、前記突起部の根元部が、前記ケースに近づくに従って太くなる形状とされ、
前記貫通穴側のＲ面の曲率半径が、前記突起部側のＲ曲面の曲率半径より大きくされる、
ことを特徴とするコンデンサ。
【請求項４】
請求項１ないし３の何れか一項に記載のフィルムコンデンサにおいて、
前記突起部が前記嵌合穴部に嵌合された状態において、前記突起部の先端部は前記フランジ部から外に突き出す、
ことを特徴とするコンデンサ。
【発明の詳細な説明】
【技術分野】
【０００１】
本発明は、コンデンサに関する。
【背景技術】
【０００２】
両端面に電極引出部が形成され、それぞれの電極引出部に端子（バスバー）が接合されたコンデンサ素子を、樹脂ケース内に収納し、当該樹脂ケース内に絶縁性樹脂を充填したコンデンサにおいて、樹脂ケースの開口部端面に位置決め部となる凸部を設けるとともに端子に嵌合部となる貫通穴を設け、凸部と貫通穴とを嵌合させるようにした樹脂封口型コンデンサが特許文献１に記載されている。
【先行技術文献】
【特許文献】
【０００３】
【特許文献１】特開２００１−２１０５４６号公報
【発明の概要】
【発明が解決しようとする課題】
【０００４】
上記特許文献１のコンデンサでは、端子は、貫通穴の位置において、その幅方向（電流が流れる方向と直交する方向）の断面積が貫通穴の分だけ減少する。これにより、貫通穴の位置において端子の電気抵抗値が増加すると、端子に電流が流れにくくなり得ることが懸念される。【０００５】
かかる課題に鑑み、本発明は、バスバーの断面積を確保しつつバスバーの位置決めが行えるコンデンサを提供することを目的とする。
【課題を解決するための手段】
【０００６】
本発明の第１の態様に係るコンデンサは、コンデンサ素子と、前記コンデンサ素子の電極に接続され、前記コンデンサ素子からの電流が流れるバスバーと、前記コンデンサ素子および前記バスバーが収容されるケースと、前記ケースに設けられた突起部と、前記バスバーに設けられ、前記突起部が嵌合する嵌合穴部と、を備える。ここで、前記嵌合穴部は、前記バスバーにおける前記ケースに対向する第１の面と当該第１の面と反対側の第２の面の間を貫通する貫通穴と、前記第２の面に前記貫通穴の周縁から立ち上がるように形成され、前記貫通穴を取り囲む筒状のフランジ部と、を含む。
【発明の効果】
【０００７】
本発明によれば、バスバーの断面積を確保しつつバスバーの位置決めが行えるコンデンサを提供することができる。【０００８】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【０００９】
【図１】図１（ａ）は、実施の形態に係る、フィルムコンデンサの前方斜視図であり、図１（ｂ）は、実施の形態に係る、図１（ａ）のＡ−Ａ´線で切断したフィルムコンデンサの正面断面図である。
【図２】図２は、実施の形態に係る、フィルムコンデンサの分解斜視図である。
【図３】図３（ａ）および（ｂ）は、それぞれ、図１（ｂ）のＡ部およびＢ部の拡大断面図である。
【図４】図４（ａ）ないし（ｃ）は、本実施の形態に係る、フィルムコンデンサの従来と比較した効果について説明するための図である。
【発明を実施するための形態】
【００１０】
以下、本発明のコンデンサの一実施形態であるフィルムコンデンサ１について図を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１１】
本実施の形態において、フィルムコンデンサ１が、特許請求の範囲に記載の「コンデンサ」に対応する。また、第１端面電極１１０および第２端面電極１２０が、特許請求の範囲に記載の「電極」に対応する。さらに、第１バスバー２００および第２バスバー３００が、特許請求の範囲に記載の「バスバー」に対応する。さらに、第１突起部４２３および第２突起部４２４が、特許請求の範囲に記載の「突起部」に対応する。さらに、第１嵌合穴部２２１および第２嵌合穴部３２１が、特許請求の範囲に記載の「嵌合穴部」に対応する。さらに、第１中継部２２０の下面２２０ｂおよび上面２２０ａが、それぞれ、特許請求の範囲に記載の「第１の面」および「第２の面」に対応する。さらに、第２中継部３２０の下面３２０ｂおよび上面３２０ａが、それぞれ、特許請求の範囲に記載の「第１の面」および「第２の面」に対応する。さらに、端子設置部４２０の上面４２０ａが、特許請求の範囲に記載の「形成面」に対応する。
【００１２】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１３】
図１（ａ）は、本実施の形態に係る、フィルムコンデンサ１の前方斜視図であり、図１（ｂ）は、本実施の形態に係る、図１（ａ）のＡ−Ａ´線で切断したフィルムコンデンサ１の正面断面図である。図２は、本実施の形態に係る、フィルムコンデンサ１の分解斜視図である。図３（ａ）および（ｂ）は、それぞれ、図１（ｂ）のＡ部およびＢ部の拡大断面図である。なお、図１（ａ）において、便宜上、充填樹脂５００は、一部分が斜線で描かれており、残る部分が透明に描かれている。
【００１４】
フィルムコンデンサ１は、コンデンサ素子１００と、第１バスバー２００と、第２バスバー３００と、ケース４００と、充填樹脂５００とを備える。コンデンサ素子１００、第１バスバー２００および第２バスバー３００が組み立てられことによって、コンデンサ素子ユニットＵが構成される。コンデンサ素子ユニットＵが、ケース４００内に収容される。充填樹脂５００は、熱硬化性樹脂からなり、溶融状態でケース４００内に注入され、ケース４００が加熱されることにより硬化する。ケース４００内のコンデンサ素子ユニットＵは、充填樹脂５００によって湿気や衝撃から保護される。
【００１５】
コンデンサ素子１００は、誘電体フィルム上にアルミニウムを蒸着させた２枚の金属化フィルムを重ね、重ねた金属化フィルムを巻回または積層し、扁平状に押圧することにより形成される。コンデンサ素子１００には、左側の端面に、亜鉛等の金属の吹付けにより第１端面電極１１０が形成され、右側の端面に、同じく亜鉛等の金属の吹付けにより第２端面電極１２０が形成される。コンデンサ素子１００は、両端面が左右方向を向く状態でケース４００内に収容される。なお、本実施の形態のコンデンサ素子１００は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、コンデンサ素子１００は、これらの金属のうち、複数の金属を蒸着させた金属化フィルムにより形成されてもよいし、これらの金属どうしの合金を蒸着させた金属化フィルムにより形成されてもよい。
【００１６】
第１バスバー２００は、コンデンサ素子１００の第１端面電極１１０に接続され、第２バスバー３００は、コンデンサ素子１００の第２端面電極１２０に接続される。第１バスバー２００および第２バスバー３００には、コンデンサ素子１００から引き出された電流が流れる。
【００１７】
第１バスバー２００は、導電性材料、たとえば、銅板により形成され、第１電極端子部２１０と、第１中継部２２０と、第１接続端子部２３０とにより構成される。第１バスバー２００は、たとえば、一枚の銅板を適宜切り抜き、折り曲げることによって形成され、これら第１電極端子部２１０と、第１中継部２２０と、第１接続端子部２３０とが一体となっている。
【００１８】
第１電極端子部２１０は、左右に長い板状を有し、コンデンサ素子１００の第１端面電極１１０を覆い、半田付け等の接続方法によって第１端面電極１１０に電気的に接続される。第１中継部２２０は、第１電極端子部２１０と第１接続端子部２３０との間を中継する。第１中継部２２０は、一端側がコンデンサ素子１００の周面に沿うように前方に延び、他端側が上方へと延びた後にほぼ直角に折り曲げられて前方へと延びる。第１接続端子部２３０は、円板状を有し、第１中継部２２０の前端部から垂れ下がるように形成され、その表裏面が前後方向を向く。第１接続端子部２３０には、表裏を貫くように円形の取付穴２３１が形成される。
【００１９】
第２バスバー３００は、導電性材料、たとえば、銅板により形成され、第２電極端子部３１０と、第２中継部３２０と、第２接続端子部３３０とにより構成される。第２バスバー３００は、たとえば、一枚の銅板を適宜切り抜き、折り曲げることによって形成され、これら第２電極端子部３１０と、第２中継部３２０と、第２接続端子部３３０とが一体となっている。
【００２０】
第２電極端子部３１０は、左右に長い板状を有し、コンデンサ素子１００の第２端面電極１２０を覆い、半田付け等の接続方法によって第２端面電極１２０に電気的に接続される。第２中継部３２０は、第２電極端子部３１０と第２接続端子部３３０との間を中継する。第２中継部３２０は、一端側がコンデンサ素子１００の周面に沿うように前方に延び、他端側が上方へと延びた後にほぼ直角に折り曲げられて前方へと延びる。第２接続端子部３３０は、円板状を有し、第２中継部３２０の前端部から垂れ下がるように形成され、その表裏面が前後方向を向く。第２接続端子部３３０には、表裏を貫くように円形の取付穴３３１が形成される。
【００２１】
ケース４００は、ポリフェニレンサルファイド樹脂（ＰＰＳ）等の樹脂により形成され、上面が開口するケース本体４１０と、ケース本体４１０の前方にケース本体４１０と一体形成された端子設置部４２０とを含む。
【００２２】
ケース本体４１０は、やや横長の直方体の箱状を有し、収容されるコンデンサ素子１００の形状に合わせて、前面と底面とのコーナ部および後面と底面とのコーナ部とが大きな曲面形状に形成される。
【００２３】
端子設置部４２０は、横長の直方体形状を有し、その上面４２０ａが、ケース本体４１０の開口面４１０ａと同じ高さを有する。端子設置部４２０の前面４２０ｂには、左右にそれぞれ、第１インサートナット４２１および第２インサートナット４２２が配置される。端子設置部４２０には、前面４２０ｂから後方に向けて第１挿入穴４２１ａおよび第２挿入穴４２２ａが開けられ、これら第１挿入穴４２１ａおよび第２挿入穴４２２ａに第１インサートナット４２１および第２インサートナット４２２が埋め込まれる。
【００２４】
第１バスバー２００の第１接続端子部２３０および第２バスバー３００の第２接続端子部３３０が端子設置部４２０の前面４２０ｂに設置される。第１接続端子部２３０の取付穴２３１と第１インサートナット４２１のネジ穴とが整合し、第２接続端子部３３０の取付穴３３１と第２インサートナット４２２のネジ穴とが整合する。第１インサートナット４２１および第２インサートナット４２２へのネジ止めによって、第１接続端子部２３０および第２接続端子部３３０に、それぞれ、外部端子（図示せず）が電気的に接続される。
【００２５】
端子設置部４２０の上面４２０ａには、左右にそれぞれ、上方に突出するほぼ円柱形状の第１突起部４２３および第２突起部４２４が形成される。一方、第１バスバー２００の第１中継部２２０には、その前端部よりやや後方に、第１突起部４２３が嵌合する第１嵌合穴部２２１が形成され、第２バスバー３００の第２中継部３２０には、その前端部よりやや後方に、第２突起部４２４が嵌合する第２嵌合穴部３２１が形成される。第１突起部４２３と第１嵌合穴部２２１との嵌合により、第１バスバー２００がケース４００に対して前後左右方向に位置決め固定され、第２突起部４２４と第２嵌合穴部３２１との嵌合により、第２バスバー３００がケース４００に対して前後左右方向に位置決め固定される（図１（ａ）参照）。なお、このとき、第１中継部２２０の下面２２０ｂが、端子設置部４２０の上面４２０ａと対向し、上面４２０ａに接触する。また、第２中継部３２０の下面３２０ｂが、端子設置部４２０の上面４２０ａと対向し、上面４２０ａに接触する。
【００２６】
第１突起部４２３および第２突起部４２４の先端部は先細り形状に形成され、これによって、第１突起部４２３および第２突起部４２４が第１嵌合穴部２２１および第２嵌合穴部３２１に挿入されやくなる。
【００２７】
図３（ａ）に示すように、第１突起部４２３と端子設置部４２０の上面４２０ａとの間にはＲ面が形成され、これによって、第１突起部４２３の根元部４２３ａは、端子設置部４２０の上面４２０ａに近づくに従って太くなる。同様に、図３（ｂ）に示すように、第２突起部４２４と端子設置部４２０の上面４２０ａとの間にはＲ面が形成され、これによって、第２突起部４２４の根元部４２４ａは、端子設置部４２０の上面４２０ａに近づくに従って太くなる。
【００２８】
第１嵌合穴部２２１は、第１中継部２２０の上面２２０ａと下面２２０ｂとの間を貫通する貫通穴２２２と、上面２２０ａに貫通穴２２２の周縁から立ち上がるように形成され、貫通穴２２２を取り囲む筒状のフランジ部２２３とを含む。第１嵌合穴部２２１は、バーリング加工により形成される、いわゆるバーリング穴であり、フランジ部２２３の高さ寸法は、第１中継部２２０、即ち第１バスバー２００の厚み寸法よりも大きい。図３（ａ）に示すように、貫通穴２２２と第１中継部２２０の下面２２０ｂとの間に（貫通穴２２２の内周面に）Ｒ面が形成され、これによって、貫通穴２２２は、第１中継部２２０の下面２２０ｂに近づくに従って穴径が大きくなる。
【００２９】
同様に、第２嵌合穴部３２１は、第２中継部３２０の上面３２０ａと下面３２０ｂとの間を貫通する貫通穴３２２と、上面３２０ａに貫通穴３２２の周縁から立ち上がるように形成され、貫通穴３２２を取り囲む筒状のフランジ部３２３とを含む。第２嵌合穴部３２１は、バーリング加工により形成される、いわゆるバーリング穴であり、フランジ部３２３の高さ寸法は、第２中継部３２０、即ち第２バスバー３００の厚み寸法よりも大きい。図３（ｂ）に示すように、貫通穴３２２と第２中継部３２０の下面３２０ｂとの間に（貫通穴３２２の内周面に）Ｒ面が形成され、これによって、貫通穴３２２は、第２中継部３２０の下面３２０ｂに近づくに従って穴径が大きくなる。
【００３０】
第１嵌合穴部２２１の貫通穴２２２側のＲ面の曲率半径は、第１突起部４２３の根元部４２３ａ側のＲ面の曲率半径より大きくされ、第２嵌合穴部３２１の貫通穴３２２側のＲ面の曲率半径は、第２突起部４２４の根元部４２４ａ側のＲ面の曲率半径より大きくされる。また、第１突起部４２３が第１嵌合穴部２２１に嵌合された状態において、第１突起部４２３の先端部はフランジ部２２３から外に突き出し、第２突起部４２４が第２嵌合穴部３２１に嵌合された状態において、第２突起部４２４の先端部はフランジ部３２３から外に突き出す。
【００３１】
＜実施の形態の効果＞
以上、本実施の形態によれば、以下の効果が奏される。
【００３２】
第１突起部４２３（第２突起部４２４）と第１嵌合穴部２２１（第２嵌合穴部３２１）との嵌合によって第１バスバー２００（第２バスバー３００）をケース４００に対して前後左右方向に位置決めすることができる。しかも、第１嵌合穴部２２１（第２嵌合穴部３２１）には、フランジ部２２３（３２３）が形成されるので、図４（ａ）の網掛け部のように、第１嵌合穴部２２１（第２嵌合穴部３２１）の貫通穴２２２（３２２）により消失した第１バスバー２００（第２バスバー３００）の幅方向（電流の流れる方向と直交する方向）の断面積をフランジ部２２３（３２３）の断面積である程度補うことができる。これにより、第１嵌合穴部２２１（第２嵌合穴部３２１）の位置での第１バスバー２００（第２バスバー３００）の電気抵抗値の増加を抑えることができ、第１バスバー２００（第２バスバー３００）に電流を良好に流すことができる。
【００３３】
さらに、第１突起部４２３（第２突起部４２４）と第１嵌合穴部２２１（第２嵌合穴部３２１）とが嵌合された状態において、これらの間には、通常、わずかなクリアランス（隙間）が形成される。このため、第１突起部４２３（第２突起部４２４）は第１嵌合穴部２２１（第２嵌合穴部３２１）に対して上下方向に傾き得る。しかしながら、本実施の形態では、第１嵌合穴部２２１（第２嵌合穴部３２１）にフランジ部２２３（３２３）が形成されることにより、第１突起部４２３（第２突起部４２４）に沿う部分の長さが長くなるので、図４（ｃ）のように第１嵌合穴部２２４（第２嵌合穴部３２４）が貫通穴のみで構成される場合に比べて、図４（ｂ）のように、第１バスバー２００（第２バスバー３００）が傾く角度αを小さくすることができる。これにより、たとえば、第１接続端子部２３０（第２接続端子部３３０）の取付穴２３１（３３１）と端子設置部４２０の第１インサートナット４２１（第２インサートナット４２２）のネジ穴との間の位置ズレが生じににくくなる。
【００３４】
さらに、第１嵌合穴部２２１（第２嵌合穴部３２１）の貫通穴２２２（３２２）は、第１中継部２２０（第２中継部３２０）の下面２２０ｂ（３２０ｂ）に近づくに従って穴径が大きくなる形状を有するので、第１突起部４２３（第２突起部４２４）を第１嵌合穴部２２１（第２嵌合穴部３２１）に誘い込みやすくなる。
【００３５】
さらに、貫通穴２２２（３２２）が拡がることによるスペースを利用し、第１突起部４２３（第２突起部４２４）を、その根元部４２３ａ（４２４ａ）が端子設置部４２０の上面４２０ａに近づくに従って太くなるような形状としたので、第１突起部４２３（第２突起部４２４）の根元部４２３ａ（４２４ａ）を補強することができる。これにより、第１接続端子部２３０（第２接続端子部３３０）と外部端子とを端子設置部４２０にネジ止めする際に、図４（ａ）の矢印のように、第１バスバー２００（第２バスバー３００）を通じて第１突起部４２３（第２突起部４２４）をせん断するような外力が生じても、第１突起部４２３（第２突起部４２４）が破損しにくくなる。特に、図４（ｃ）のような第１突起部４２３（第２突起部４２４）の根元部が太くならいような構成と違って、根元部４２３ａ（４２４ａ）と端子設置部４２０の上面４２０ａの間にエッジ部分が形成されないので、エッジ部分で応力集中が生じることによる第１突起部４２３（第２突起部４２４）の破損も防止できる。
【００３６】
さらに、第１嵌合穴部２２１（第２嵌合穴部３２１）の貫通穴２２２（３２２）側のＲ面の曲率半径が、第１突起部４２３（第２突起部４２４）側のＲ曲面の曲率半径より大きくされているので、第１中継部２２０（第２中継部３２０）の下面２２０ｂ（３２０ｂ）を、端子設置部４２０の上面４２０ａに確実に接触させることができる。
【００３７】
さらに、第１突起部４２３（第２突起部４２４）と第１嵌合穴部２２１（第２嵌合穴部３２１）とが嵌合した状態において、第１突起部４２３（第２突起部４２４）の先端部はフランジ部２２３（３２３）から外に突き出すような構成とされているので、第１嵌合穴部２２１（第２嵌合穴部３２１）が第１突起部４２３（第２突起部４２４）から外れにくい。
【００３８】
＜変更例＞
以上、本発明の実施の形態について説明したが、本発明は、上記実施の形態に限定されるものではなく、また、本発明の適用例も、上記実施の形態の他に、種々の変更が可能である。
【００３９】
たとえば、上記実施の形態では、第１突起部４２３および第２突起部４２４は、ほぼ円柱形状とされた。しかしながら、第１突起部４２３および第２突起部４２４は、如何なる形状でもよく、たとえば、ほぼ四角柱形状でもよい。
【００４０】
また、上記実施の形態では、第１嵌合穴部２２１（第２嵌合穴部３２１）の貫通穴２２２（３２２）は、穴全体に亘って第１中継部２２０（第２中継部３２０）の下面２２０ｂ（３２０ｂ）に近づくに従って穴径が大きくなる形状を有しているが、貫通穴２２２（３２２）は、穴の途中から穴径が大きくなるような形状を有していてもよい。
【００４１】
上記実施の形態では、貫通穴２２２（３２２）と第１中継部２２０（第２中継部３２０）の下面２２０ｂ（３２０ｂ）との間にＲ面が形成されたが、このようにＲ面（曲面）でなくＣ面（平坦面）が形成されてもよい。同様に、第１突起部４２３（第２突起部４２４）と端子設置部４２０の上面４２０ａとの間に、Ｒ面（曲面）でなくＣ面（平坦面）が形成されてもよい。
【００４２】
さらに、上記実施の形態では、第１接続端子部２３０（第２接続端子部３３０）が第１中継部２２０（第２中継部３２０）の前端部から垂れ下がるように形成されたが、第１接続端子部２３０（第２接続端子部３３０）が第１中継部２２０（第２中継部３２０）から前方に延びるように形成されてもよい。この場合、第１接続端子部２３０（第２接続端子部３３０）に合わせて端子設置部４２０が延長され、延長された部分の上面に第１インサートナット４２１（第２インサートナット４２２）が配置されるとよい。あるいは、端子設置部４２０が延長されず、端子設置部４２０の前面４２０ｂから第１インサートナット４２１（第２インサートナット４２２）がなくされてもよい。この場合は、第１接続端子部２３０（第２接続端子部３３０）と外部端子の２者がネジで結合されることとなる。
【００４３】
さらに、上記実施の形態では、コンデンサ素子ユニットＵに含まれるコンデンサ素子１００の個数が１個であったが、コンデンサ素子ユニットＵに複数個のコンデンサ素子１００が含まれてもよい。
【００４４】
さらに、コンデンサ素子１００は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することによりコンデンサ素子１００を形成してもよい。
【００４５】
さらに、上記実施の形態では、本発明のコンデンサの一例として、フィルムコンデンサ１が挙げられた。しかしながら、本発明は、フィルムコンデンサ１以外のコンデンサに適用することもできる。
【００４６】
この他、本発明の実施の形態は、特許請求の範囲に示された技術的思想の範囲内において、適宜、種々の変更が可能である。
【００４７】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００４８】
本発明は、各種電子機器、電気機器、産業機器、車両の電装等に使用されるフィルムコンデンサに有用である。
【符号の説明】
【００４９】
１  フィルムコンデンサ
１００  コンデンサ素子
１１０  第１端面電極（電極）
１２０  第２端面電極（電極）
２００  第１バスバー（バスバー）
２２０  第１中継部
２２０ａ  上面（第２の面）
２２０ｂ  下面（第１の面）
２２１  第１嵌合穴部（嵌合穴部）
２２２  貫通穴
２２３  フランジ部
３００  第２バスバー（バスバー）
３２０  第２中継部
３２０ａ  上面（第２の面）
３２０ｂ  下面（第１の面）
３２１  第２嵌合穴部（嵌合穴部）
３２２  貫通穴
３２３  フランジ部
４００  ケース
４２０  端子設置部
４２０ａ  上面（形成面）
４２３  第１突起部（突起部）
４２３ａ  根元部
４２４  第２突起部（突起部）
４２４ａ  根元部
【図１】
2018016348.tif 000003
【図２】
2018016348.tif 000004
【図３】
2018016348.tif 000005
【図４】
2018016348.tif 000006
【国際調査報告】
2018016348.tif 000007
2018016348.tif 000008